(57)【要約】【課題】接続先の電子機器の小型化・軽量化に影響を与えることなく電子機器の温度上昇を抑制することができるコネクタ付きケーブルを提供する。【解決手段】本発明は、電子機器と接続するコネクタと、前記コネクタと接続するケーブルとを備えるコネクタ付きケーブルであって、前記コネクタは、前記電子機器内で発生した熱を吸収する熱吸収手段を備える。【選択図】  図３
2006324207.tif 000002
【特許請求の範囲】
【請求項１】
電子機器と接続するコネクタと、前記コネクタと接続するケーブルとを備えるコネクタ付きケーブルであって、
前記コネクタは、前記電子機器内で発生した熱を吸収する熱吸収手段を備えるコネクタ付きケーブル。
【請求項２】
前記熱吸収手段は、前記電子機器と接続する接続部と、前記接続部と接するヒートシンクと、前記ヒートシンクと接する熱伝導性板と、前記熱伝導性板と接続する接地線とを備える請求項１に記載のコネクタ付きケーブル。
【請求項３】
前記コネクタの外皮は熱伝導性フィラーを含んで構成される請求項１または２に記載のコネクタ付きケーブル。
【請求項４】
請求項１から３いずれか一項に記載のコネクタ付きケーブルを備える充電機器。
【請求項５】
前記充電機器と接続するケーブル接続部が熱伝導性部材により構成される電子機器。
【請求項６】
前記電子機器の基板上において、動作時に発生する熱量の多い電子部品が前記ケーブル接続部付近に配置される請求項５に記載の電子機器。
【発明の詳細な説明】
【技術分野】
【０００１】
本発明は、コネクタ付きケーブルとそのコネクタ付きケーブルを備える充電機器およびその充電機器により充電される電子機器に関する。
【背景技術】
【０００２】
一般に、ノートパソコン、携帯端末、ＰＤＡ等の電子機器を使用するユーザは、必要に応じて、自宅等で充電機器により電子機器の充電を行う必要がある。
【０００３】
充電の際、電子機器には大電流が流れるため、大量の熱が発生して電子機器の内部温度が上昇してしまう。内部温度が上昇すると、充電池の寿命低下の原因となる。また、電子機器の内部の回路が誤作動を起こす要因ともなる。
【０００４】
また、内部温度の上昇に伴い電子機器の筐体の温度が高温になると、ユーザが電子機器を使いづらい場合がある。これらを解決するため、電子機器の高温部を冷却する冷却手段が必要である。
【０００５】
従来、送風用ポンプによってＣＰＵ等の発熱部に空気を吹き付けて、発熱部を強制冷却する携帯用電子機器の冷却装置が提案されている（特許文献１参照）。この冷却装置は、交流電源アダプタの内部に送風手段が設けられており、その送風手段が送風する空気を、コネクタ部を介して携帯用電子機器内部の発熱部に直接吹き付けて冷却を行うものである。
【特許文献１】特開２０００−２１６５７４号公報
【発明の開示】
【発明が解決しようとする課題】
【０００６】
しかしながら、特許文献１に記載される発明の冷却装置は、携帯用電子機器の内部に送風された空気を発熱部まで案内する空気案内手段を設けなければならない。この空気案内手段は、空気を運ぶための空洞構造が大きいため、小型化・軽量化の要請のある携帯用電子機器の内部に設けることは適さなかった。
【０００７】
本発明は、接続先の電子機器の小型化・軽量化に影響を与えることなく電子機器の温度上昇を抑制することができるコネクタ付きケーブルを提供することを目的とする。
【課題を解決するための手段】
【０００８】
本発明のコネクタ付きケーブルは、電子機器と接続するコネクタと、前記コネクタと接続するケーブルとを備えるコネクタ付きケーブルであって、前記コネクタは、前記電子機器内で発生した熱を吸収する熱吸収手段を備える。
【０００９】
この構成により、前記コネクタと前記電子機器とが接続するとき、電子機器で発生する熱は、前記コネクタの熱吸収手段によって吸収される。したがって、電子機器の内部に新たな部材を設けることなく、すなわち、電子機器の小型化・軽量化に影響を与えることなく電子機器の内部の発熱部を冷却することができる。
【００１０】
また、前記熱吸収手段は、前記電子機器と接続する接続部と、前記接続部と接するヒートシンクと、前記ヒートシンクと接する熱伝導性板とにより構成され、前記ケーブル内の接地線が前記熱伝導性板と接続している。
【００１１】
この構成により、電子機器で発生した熱は接続部に伝導し、接続部に伝導した熱はヒートシンクに伝導して放熱される。また、ヒートシンクに伝導した熱は放熱される一方で、その一部は熱伝導性板に伝導し、熱伝導性板に伝導した熱は、ケーブル内の接地線に伝導して拡散される。従って、電子機器で発生する熱を効率よく放熱することができる。
【００１２】
また、本発明のコネクタの外皮は熱伝導性フィラーを含んで構成される。
【００１３】
この構成により、コネクタ部の放熱性が向上する。
【００１４】
また、本発明の充電機器は、上記のコネクタ付きケーブルを備える。
【００１５】
この構成により、充電の際に電子機器内で発生する熱は、コネクタ付きケーブルを介して外部に放熱・拡散されるので、電子機器内の温度上昇は抑制される。
【００１６】
また、本発明の電子機器は、前記充電機器と接続するケーブル接続部が熱伝導性部材により構成される。
【００１７】
また、本発明の電子機器は、前記電子機器の基板上において、動作時に発生する熱量の多い電子部品が前記ケーブル接続部付近に配置される。
【００１８】
この構成により、充電の際に発生する熱を効率よくコネクタ部へ伝導することができる。
【発明の効果】
【００１９】
本発明のコネクタ付きケーブルによれば、接続先の電子機器の小型化・軽量化に影響を与えることなく電子機器の温度上昇を抑制することができる。
【発明を実施するための最良の形態】
【００２０】
以下、本発明に係る実施の形態について図面を参照して詳細に説明する。ここでは、電子機器として携帯電話を例に挙げて説明する。
【００２１】
（実施の形態１）
図１は、本実施の形態１の充電機器１００の外観斜視図である。図２は、ケーブル線の断面図である。図３（ａ）は、コネクタ部の内部構成の斜視図である。図３（ｂ）は、図３（ａ）中のＡ方向から見たコネクタ部の平面図である。図３（ｃ）は、図３（ａ）中に示すＢ位置の要部拡大図である。図４は、実施の形態１の充電機器の使用形態を示す図である。
【００２２】
図１に、本実施の形態１の充電機器１００の外観斜視図を示す。本実施の形態１のコネクタ付きケーブルを備えた充電機器１００は、携帯電話１３と接続するコネクタ部３と、内部にＡＣ−ＤＣ変換回路を有するＡＣ電源コンセント４と、コネクタ部３とＡＣ電源コンセント４とを繋ぐケーブル線５とを備える。
【００２３】
図２に、ケーブル線の断面図を示す。ケーブル線５は、電力を伝送する内部導体６と、ＡＣ電源コンセント４のグランド層と接続している外部導体８と、内部導体６と外部導体８とを絶縁する絶縁体７と、それらを覆う外皮９とにより構成される。
【００２４】
図３（ａ）に、コネクタ部３の内部構成の斜視図を示す。コネクタ部３は、電子機器のケーブル接続部１５と接続する接続部２と、接続部２と内部導体６とを繋ぐリード線１２と、ケーブル５の外部導体８と当接して配置される熱伝導性板１１と、接続部２と熱伝導性板１１と両方に接する位置に設置されるヒートシンク１０とにより構成される。
【００２５】
コネクタ部３の外皮は、樹脂と熱伝導性フィラーとを含んで構成される。熱伝導性フィラーとしては、例えば、酸化マグネシウムや窒化アルミニウムがある。また、接続部２と熱伝導性板１１とヒートシンク１０は、アルミ、銅、鉄等の金属製の熱伝導性材料により構成されている。
【００２６】
図３（ｂ）に、図３（ａ）中のＡ方向から見たコネクタ部の平面図を示す。ヒートシンク１０は、一端側では接続部２の一部を載置し、他端側では熱伝導性板１１と当接するように配置される。また、ヒートシンク１０の中央部ではリード線が貫通して接続部２と接続している。
【００２７】
図３（ｃ）に、図３（ａ）中に示すＢ位置の要部拡大図を示す。熱伝導性板１１は内部導体６と一定の間隔離れた位置で外部導体８と面当接している。
【００２８】
図４に、実施の形態１の充電機器と携帯電話の使用形態を示す。携帯電話１３は、筐体内部に基板１４を備え、基板１４上に充電回路１６と発熱電子部品１７（例えば、パワーアンプ）等が実装されている。また、基板１４には、充電機器１００のコネクタ部３の接続部２と接続するケーブル接続部１５を備えられている。ケーブル接続部１５は、アルミ、銅、鉄等の金属製の熱伝導性材料により構成されている。
【００２９】
図４に示すように、基板１４上では、動作時に多くの熱を発生する充電回路１６と発熱電子部品１７とがケーブル接続部１５付近に実装されている。
【００３０】
次に、本実施の形態１の充電機器を用いて携帯電話を充電するときの動作について説明する。
【００３１】
まず、ユーザは、充電機器１００のＡＣ電源コンセント４を家庭用電源に差し込み、コネクタ部３の接続部２を携帯電話１３のケーブル接続部１５に差し込む。このとき、家庭用電源からケーブル５の内部導体６とリード線１２を介して携帯電話１３の充電回路１６に電力が供給される。
【００３２】
電力が供給されると充電回路１６は内蔵する充電池を充電する。充電動作時、充電回路１６は熱を発し、その付近に熱が蓄積し始める。このとき発生した熱は、充電回路の周辺にあるケーブル接続部１５に伝導する。
【００３３】
ケーブル接続部１５に伝わった熱は、直接接触しているコネクタ部３の接続部２に伝わる。そして、接続部２に伝わった熱は、接続部２が載置をするヒートシンク１０に伝わる。このとき、ヒートシンク１０は、図３（ａ）に示したように表面積が広い構成であるので、携帯電話１３から伝わってきた熱を効率よく放熱する。
【００３４】
また、ヒートシンク１０は、放熱を行う一方で、当接している熱伝導性板１１に熱を伝える。熱伝導性板１１は当接しているケーブル５の外部導体８に熱を伝える。外部導体８は接続先のＡＣ電源コンセント４のグランド層に熱を伝える。グランド層は接地部に熱を拡散して逃がす。
【００３５】
この構成により、充電時に携帯電話の回路基板上で発生する熱は、周辺端末である充電機器側を介して外部に拡散されるので、携帯電話内に熱は蓄積せず、内部温度の上昇を抑制することができる。
【００３６】
また、本実施の形態１の充電機器は、空気を送風するファン等を設ける必要がないので、ファン等を駆動する電力を節約することができる。また、本実施の形態１の充電機器は、以上の構成により、電子機器の内部に新たな部材を設けることなく、すなわち、電子機器の小型化・軽量化に影響を与えることなく電子機器の内部の発熱部を冷却することができる。
【００３７】
なお、本実施の形態では、コネクタ付きケーブルにＡＣ電源コンセントが備えられた充電機器について説明したが、これに限られるものではなく、このコネクタ付きケーブルを他の周辺機器に用いてもその効果は同様である。
【産業上の利用可能性】
【００３８】
本発明のコネクタ付きケーブルによれば、接続先の電子機器の小型化・軽量化に影響を与えることなく電子機器の温度上昇を抑制することができる。
【図面の簡単な説明】
【００３９】
【図１】本実施の形態１の充電機器１００の外観斜視図
【図２】ケーブル線の断面図
【図３】（ａ）コネクタ部３の内部構成の斜視図、（ｂ）図３（ａ）中のＡ方向から見たコネクタ部の平面図、（ｃ）図３（ａ）中に示すＢ位置の要部拡大図
【図４】実施の形態１の充電機器と携帯電話の使用形態を示す図
【符号の説明】
【００４０】
２      接続部
３      コネクタ部
４      ＡＣ電源コンセント
５      ケーブル線
６      内部導体
７      絶縁体
８      外部導体
９      外皮
１０      ヒートシンク
１１      熱伝導性板
１２      リード線
１３      携帯電話
１４      基板
１５      ケーブル接続部
１６      充電回路
１７      発熱電子部品
１００      充電機器
【図１】
2006324207.tif 000003
【図２】
2006324207.tif 000004
【図３】
2006324207.tif 000005
【図４】
2006324207.tif 000006